(57)【特許請求の範囲】
【請求項１】
液化二酸化炭素またはガス状二酸化炭素を、容器内に貯えられている液化天然ガス、液化メタン、液化エタン、液化窒素、液化アルゴンのいずれかからなる低温液体中、あるいは液化天然ガス、液化メタン、液化エタン、液化窒素、液化アルゴンのいずれかからなる低温液体と天然ガス、メタン、エタン、窒素、アルゴンの少なくとも１種類を含む容器の気相部に吹き込んで、低温液体中に固体の二酸化炭素が存在する混合物として容器内に貯えた後、この容器を目的地まで輸送し、目的地において、該容器から前記混合物を搬出し、ついでこの混合物から二酸化炭素を分離することを特徴とする二酸化炭素の輸送方法。
【請求項２】
前記混合物を目的地において容器から搬出し、この混合物が有する寒冷を天然ガス、メタン、エタンの液化に利用することを特徴とする請求項１に記載の二酸化炭素の輸送方法。
【請求項３】
前記容器がＬＮＧタンカーの低温タンクであり、ＬＮＧタンカーで目的地まで輸送することを特徴とする請求項１または請求項２に記載の二酸化炭素の輸送方法。
【請求項４】
前記低温液体が、精製済みの液化天然ガス、液化メタン、液化エタンであることを特徴とする請求項１ないし請求項３のいずれか１項に記載の二酸化炭素の輸送方法。
【請求項５】
請求項１ないし請求項４のいずれか１項に記載の輸送方法で輸送した二酸化炭素を系外に送り、深度地中埋設により処分することを特徴とする二酸化炭素の処分方法。
【請求項６】
ＬＮＧタンカーの低温タンクに貯留した、液化天然ガス、液化メタン、液化エタン、液化窒素、液化アルゴンのいずれかからなる低温液体中に固体の二酸化炭素が存在してなる二酸化炭素混合物を、配管を介して搬送することを特徴とする二酸化炭素の搬送方法。
【請求項７】
前記低温液体が、精製済みの液化天然ガス、液化メタン、液化エタンであることを特徴とする請求項６に記載の二酸化炭素の搬送方法。
【発明の詳細な説明】
【技術分野】
【０００１】
この発明は、二酸化炭素を地中に埋設、貯蔵する処分方法（ＣＣＳ：Ｃａｒｂｏｎ  Ｄｉｏｘｉｄｅ  Ｃａｐｔｕｒｅ  ａｎｄ  Ｓｔｏｒａｇｅ）の具現化などに好適な二酸化炭素の輸送方法、処分方法及び搬送方法に関する。
【背景技術】
【０００２】
地球温暖化ガスである二酸化炭素の処分方法として、二酸化炭素を深い地層に埋め込んで貯蔵する方法（ＣＣＳ）が検討されている。
例えば、天然ガスの消費地で排出された二酸化炭素を回収し、これを液化または固化した状態でＬＮＧタンカーなどにより天然ガス産出地に輸送し、天然ガス田の空井戸に送り込む方法も検討されている。
これらの処分方法では、大量の二酸化炭素を安価に安全に効率よく輸送する必要がある。
【０００３】
特開平５−１８０３９号公報には、大量の二酸化炭素を安全に遠距離輸送するための方法として、二酸化炭素を液化し、この液化二酸化炭素をタンカーの断熱構造とされた船倉に送り、船倉内で大気圧噴霧して雪状の固体状二酸化炭素として堆積させ、輸送する方法が開示されている。
【０００４】
しかしながら、この方法では、液化二酸化炭素を大気圧噴霧する際に、二酸化炭素の約４０％しか固体状二酸化炭素にならず、残りの約６０％がガスに変化するため、効率が極めて悪い。
また、船倉内に堆積した固体状二酸化炭素が外部から侵入した水分による結露とその自重などによりブロック状に固化してしまい、これの搬出が容易ではないなどの不具合がある。また、船倉内に固体状二酸化炭素を噴出させた場合、山のように積み上げられて荷崩れする恐れがあった。
【０００５】
液化二酸化炭素を低温タンクに充填して輸送する方法も考えられるが、液化状態を保つためには、少なくとも５．３ＭＰａ以上の圧力が必要であり、これに耐える耐圧構造、液化二酸化炭素の温度・圧力によっては、低温で使用可能な特殊材料を用いた低温タンクを用いねばならず、通常の外航用大型ＬＮＧタンカーのＬＮＧタンクを利用することができず、実用性を欠く。これは、この種のＬＮＧタンクが温度−１６２℃、圧力大気圧の設定条件で設計されているからである。
【先行技術文献】
【特許文献】
【０００６】
【特許文献１】特開平５−１８０３９号公報
【発明の概要】
【発明が解決しようとする課題】
【０００７】
よって、本発明における課題は、大量の二酸化炭素を無駄なく、効率よく搬送、貯蔵でき、かつ運送することができるようにすることにあり、これによりＣＣＳの実現に寄与できるようにすることにある。
【課題を解決するための手段】
【０００８】
かかる課題を解決するため、
請求項１にかかる発明は、液化二酸化炭素またはガス状二酸化炭素を、容器内に貯えられている液化天然ガス、液化メタン、液化エタン、液化窒素、液化アルゴンのいずれかからなる低温液体中、あるいは液化天然ガス、液化メタン、液化エタン、液化窒素、液化アルゴンのいずれかからなる低温液体と天然ガス、メタン、エタン、窒素、アルゴンの少なくとも１種類を含む容器の気相部に吹き込んで、低温液体中に固体の二酸化炭素が存在する混合物として容器内に貯えた後、この容器を目的地まで輸送し、目的地において、該容器から前記混合物を搬出し、ついでこの混合物から二酸化炭素を分離することを特徴とする二酸化炭素の輸送方法である。
【０００９】
請求項２にかかる発明は、前記混合物を目的地において容器から搬出し、この混合物が有する寒冷を天然ガス、メタン、エタンの液化に利用することを特徴とする請求項１に記載の二酸化炭素の輸送方法である。
請求項３にかかる発明は、前記容器がＬＮＧタンカーの低温タンクであり、ＬＮＧタンカーで目的地まで輸送することを特徴とする請求項１または請求項２に記載の二酸化炭素の輸送方法である。
【００１０】
請求項４にかかる発明は、前記低温液体が、精製済みの液化天然ガス、液化メタン、液化エタンであることを特徴とする請求項１ないし請求項３のいずれか１項に記載の二酸化炭素の輸送方法である。
請求項５にかかる発明は、請求項１ないし請求項４のいずれか１項に記載の輸送方法で輸送した二酸化炭素を系外に送り、深度地中埋設により処分することを特徴とする二酸化炭素の処分方法である。
【００１１】
請求項６にかかる発明は、ＬＮＧタンカーの低温タンクに貯留した、液化天然ガス、液化メタン、液化エタン、液化窒素、液化アルゴンのいずれかからなる低温液体中に固体の二酸化炭素が存在してなる二酸化炭素混合物を、配管を介して搬送することを特徴とする二酸化炭素の搬送方法である。
【００１２】
請求項７にかかる発明は、前記低温液体が、精製済みの液化天然ガス、液化メタン、液化エタンであることを特徴とする請求項６に記載の二酸化炭素の搬送方法である。
【発明の効果】
【００１３】
本発明の二酸化炭素の搬送方法および輸送方法によれば、大量の二酸化炭素を無駄なく、容易に低温液体中に固体として閉じこめて固定化できる。この混合物は、撹拌などを行うことにより、流動性に富むスラリー状態に変化し、ポンプなどにより簡単に移送できるので、配管による移送、容器による貯蔵、輸送が極めて容易になる。特に、前記混合物をタンクなどの容器内に低圧で長期保存できる。このため、ＬＮＧタンカーなどによる大量輸送が可能になる。
【図面の簡単な説明】
【００１４】
【図１】本発明の実施形態を示す概略構成図である。
【発明を実施するための形態】
【００１５】
図１は、本発明の二酸化炭素の貯蔵方法の一例を示すもので、この実施形態の説明において、本発明の二酸化炭素混合物、その製造方法、搬送および輸送方法を説明する。
【００１６】
火力発電所などから排出される燃焼排ガス等のガス状二酸化炭素を含む各種ガスからガス状の二酸化炭素を分離、回収する。燃焼排ガスなどからのガス状二酸化炭素の分離、回収方法には、アミン水溶液を吸収媒体とする周知の分離、回収方法などが用いられる。
このようにして回収されたガス状二酸化炭素は、予め図示しない精製装置により硫黄化合物、一酸化炭素、水分、水素などの不純物が除去されて精製されたのち、ガス状二酸化炭素として、ガスブースター等により導出され、管５を経て大型の低温タンク６内に送り込まれる。また、該ガス状二酸化炭素は、管１の途中で液化天然ガスを利用して冷却され、液化器２に送られて、例えば温度−２０℃、圧力２ＭＰａの液化二酸化炭素とされ、該液化二酸化炭素は低温貯槽３に一旦貯留される。低温貯槽３内の液化二酸化炭素は、ポンプ４により導出され、管５を経て大型の低温タンク６内に送り込まれる。液化二酸化炭素中の水分濃度は、０．１２ｖｏｌ％以下が望ましい。
【００１７】
ガス状二酸化炭素または液化二酸化炭素は、管５を経て大型の低温タンク６内に送り込まれる。低温タンク６内には予め低温液体としての液化天然ガス（ＬＮＧ）Ａが貯えられている。低温液体としては、液化天然ガス以外に液化メタン、液化エタン、液化窒素、液化アルゴンなどが用いられる。これ以外の低温液体としては、二酸化炭素が固体状態を維持できる温度、圧力において液状をなす物質、例えば、水素、ヘリウム、クリプトン、キセノンなどが挙げられるが、コストなど実用性を考慮すると、大気圧における沸点が二酸化炭素の融点を下回る液化天然ガス、液化メタン、液化エタン、液化窒素、液化アルゴンが好ましい。
【００１８】
低温液体として天然ガス田から採掘した天然ガスを液化した液化天然ガスを用いる際には、ガス田から採掘した天然ガスを予め精製し、これに含まれている二酸化炭素、硫化水素などの硫黄化合物、メタン以外の炭化水素を除去し、この精製後の天然ガスを液化して得られた液化天然ガスを用いることが好ましい。精製後の液化天然ガス中の水分濃度は、０．０１％以下が望ましい。
【００１９】
低温タンク６内の下部には液化天然ガスＡが、上部には気化した天然ガスＢが存在している。
管５からの液化二酸化炭素は、低温タンク６の底部から上方に延びる散気管７の先端部分から液化天然ガス中に吹き出される。液化天然ガスの温度が−１６２℃以下、圧力が５．３ＭＰａ未満であるので、散気管７から吹き出された液化二酸化炭素は、液化天然ガス中でただちに固化し、固体粒子に変化し、液化天然ガス中に分散していく。
【００２０】
この時、散気管７から吹き出されたガス状二酸化炭素または液化二酸化炭素は、ほぼ全量が固化し、ほとんどガスとなることはない。液化天然ガス１０００ｋｇ中に二酸化炭素を固体状で８００〜９５０ｋｇ程度分散させることができる。
液化二酸化炭素の低温タンク６内への吹き込みは、天然ガス、メタン、エタン、窒素、アルゴンなどの少なくとも１種類を含む気相部に行ってもよい。具体的には、低温タンク６の上部に設けた別の散気管８を用いて管９から導入される液化二酸化炭素を液滴状にして液化天然ガス上に降らせてもよい。
また、液化天然ガスまたは気相部へ吹き込む二酸化炭素は、ガス状二酸化炭素でもよい。
【００２１】
このようにして形成された液化天然ガスなどの低温液体と固体粒子状の二酸化炭素とからなる混合物は、大量の固体状二酸化炭素が固定化されて、当初は固体状二酸化炭素を含むスラリー状となっており、流動性を保っている。
低温タンク６内での貯蔵では、液化天然ガスと固体状二酸化炭素との比重がかなり違い、液化天然ガスの比重が０．４３〜０．４８であるのに対して固体状二酸化炭素の比重が１．５６であるので、静置しておけば固体状二酸化炭素は沈殿、堆積する。しかし、この混合物を撹拌すると、元の流動性を備えたスラリー状の形態に戻る。
このような混合物を本発明の二酸化炭素混合物と言い、その形成方法を同じく本発明の二酸化炭素混合物の製造方法と言う。
【００２２】
このように液化天然ガスなどの低温液体中に固体状の二酸化炭素が存在した状態が維持できる限り、固体状二酸化炭素を固定化した状態で長期にわたって保存することが可能である。
本発明の二酸化炭素の貯蔵方法は、低温タンク６などの容器内に、液化天然ガスなどの低温液体中に固体状の二酸化炭素が存在している状態の混合物を貯留するものである。
【００２３】
この二酸化炭素混合物の貯蔵に際しては、低温タンク６内の液化天然ガスを液状態に保つ必要があり、このためにチラーユニット１１が設けられている。管１２から低温タンク６内のガス状の天然ガスを抜き出し、これをチラーユニット１１で液化して液化天然ガスとして、管１３を介して低温タンク６内に戻すように構成されており、これにより低温タンク６内で天然ガスをガス状および液状で保持し、圧力上昇による低温タンク６の破損を防止できる。
また、低温タンク６内で気化した天然ガスを回収、必要に応じて精製のための管１０が低温タンク６の上部に接続されている。
なお、低温タンク６への液化二酸化炭素の吹き込みに先立ち、低温タンク６内の気相部を天然ガス、メタン、エタン、炭酸ガス、窒素などでパージしておくこともできる。
【００２４】
侵入熱または低温タンク６へのガス状二酸化炭素または液化二酸化炭素の吹込みにより気化した天然ガスは、低温タンク６上部に設けた管２１から導出され、熱交換器２２で管２３内を流れる液化天然ガスと熱交換させ、冷却または再液化のうえ低温タンク６に戻し、再利用することができる。
【００２５】
低温タンク６内に貯蔵された前記混合物を低温タンク６から搬出するには、低温タンク６内を撹拌羽根で撹拌したり、液化天然ガスを吹き込んで撹拌したりすることにより、沈殿している固体状の二酸化炭素を撹拌してスラリー状としたのち、低温タンク６の下部からポンプ１４により前記流体を抜き出す。このスラリー状の混合物を管１５を経てリザーブタンク１６に送り込み、ここに一旦貯留する。
【００２６】
前記混合物の搬出に際しての低温タンク６内の固体状二酸化炭素と液化天然ガスとの量比は、体積比で固体状二酸化炭素：液化天然ガス＝１：１〜１：１０、好ましくは固体状二酸化炭素：液化天然ガス＝１：５とすることが好ましく、このような量比とすることで流動性に富むスラリーとすることができる。この量比にするためには、必要に応じて低温タンク６内に液化天然ガスを加えることも可能である。
【００２７】
リザーブタンク１６内では、前記混合物がガス状または液状の天然ガスと固体粒子状の二酸化炭素とに分離され、ガス状の天然ガスは管１７から低温タンク６に戻される。固体粒子状の二酸化炭素は、リザーブタンク１６内で必要に応じて、天然ガス等で加温されて気化し、ガス状二酸化炭素となって、管１８から系外に送られ、例えば、該ガス状二酸化炭素を液化して天然ガス田の空井戸に圧入して、深度地中埋設（ＣＣＳ）などにより処分される。一方、天然ガスは固体状二酸化炭素の寒冷を利用して冷却、更には液化される。
【００２８】
低温タンク６からの前記混合物の搬出の終期に、固体状の二酸化炭素のみが残った場合には、管１９から低温タンク６に液化天然ガスを補給してもよく、スラリー状を保つようにして、搬出を行う。この補給のための液化天然ガスには、リザーブタンク１６から回収された液化天然ガスを用い、管２０を介して管１７から低温タンク６に導入することが望ましい。
【００２９】
また、リザーブタンク１６として、目の細かいメッシュプレートやパンチングプレートを仕切り板として内部に設けた固液分離タンクを用いたり、またはサイクロンなどの一般的な固液分離方法を利用することができる。
【００３０】
次に、本発明の二酸化炭素の輸送方法の一例について説明する。
この輸送方法は、低温タンク６を船舶や車両などの運搬手段によって目的地まで輸送するものである。
船舶による輸送にあっては、例えば低温タンク６にＬＮＧタンカーのＬＮＧタンクをそのまま用いることができる。天然ガス産出地からのＬＮＧタンカーが天然ガス消費地に着き、液化天然ガスを荷揚げした後の空のＬＮＧタンクを利用し、これに少量の液化天然ガスを貯めておき、上述のようにして、液化二酸化炭素を注入して前記混合物を作製して貯蔵したのち、このＬＮＧタンカーを天然ガス産出地に回漕することができる。この輸送方法では、天然ガス産出地と消費地との間の往路および復路においてともに積荷を運ぶことになり、ＬＮＧタンカー製造のイニシャルコストはもちろんのこと復路をバラスト水を積載して航行していることから比較すると極めて経済性が高いものとなる。
【００３１】
また、別の低温タンクにおいて、予め上述のようにして前記混合物を作製しておき、これをＬＮＧタンカーのＬＮＧタンクやローリ車の断熱タンクにポンプにより移送し、輸送するようにしてもよい。
【００３２】
図１において、一連の設備は、一点鎖線で３つの領域に区画されている。区画Ｌは、例えば二酸化炭素の排出地である日本などに設けられた陸上設備であり、区画Ｍは、例えばＬＮＧタンカーなどの船舶やタンクローリーなどの車両などの輸送設備であり、区画Ｎは、例えば天然ガス田などがある中東地域などに設けられた陸上設備である。
例えば、区画Ｌにおいて、液化二酸化炭素を製造し、この液化二酸化炭素を接岸中のＬＮＧタンカーのＬＮＧタンク（低温タンク６）に送給して前記混合物としてＬＮＧタンク内に貯蔵する。ＬＮＧタンカーが航海をして区画Ｎに接岸したならば、ＬＮＧタンクから前記流体を搬出し、リザーブタンク１６に送ることができる。
【００３３】
（実験例）
内容量２０リットルの撹拌羽根付きステンレス鋼製真空断熱密閉タンク内に１０ｋｇの液化天然ガスを貯え、タンク内の温度を−１６３℃、圧力を０．２ＭＰａ（Ｇ）とした。タンクの底部から、内径３ｍｍの散気管により、温度−２０℃、圧力２０ＭＰａ（Ｇ）の液化二酸化炭素１０ｋｇを３時間かけて吹き込んだ。
【００３４】
タンク内に小形ＬＣＤカメラを投入して液化天然ガス中に沈め、その状況を観察したところ、粒径約５〜１００μｍの白色の固体粒子状の二酸化炭素が分散しているのが確かめられた。
タンク内の温度、圧力を上述の値に保持して、２週間経過した後のタンク内の液化天然ガスを撮影したところ、白色の固体の二酸化炭素がタンク底部に堆積しているのが確かめられた。
このことから、二酸化炭素を長時間、安定して液化天然ガス中に貯蔵できることが確認できた。
また、撹拌羽根を回転させて内容物を撹拌したところ、沈殿していた固体状二酸化炭素が粒子状となって液化天然ガス中に分散したことも確認できた。
【符号の説明】
【００３５】
１、５、９、１０、１２、１３、１５、１７、１８、１９、２０、２１、２３・・管、２・・液化器、３・・低温容器、４、１４・・ポンプ、６・・低温タンク、７、８・・散気管、１１・・チラーユニット、１６・・リザーブタンク、２２・・・熱交換器
【図１】
0005705271.tif 000002